(57)【要約】      （修正有）【課題】クイックリターンミラー機構を備え、撮像素子で測光や測距を可能とした撮像装置において、ミラー裏面の内面反射とファインダー逆入光を防止し、撮影前状態で撮像素子の破損を防止できる撮像装置を提供する。【解決手段】撮影レンズ300と、撮像素子201と、被写体観察時に、被写体光束の一部をファインダー光学系に導き、一部を撮像素子に導くハーフミラーと、被写体撮影時に、ハーフミラーを撮影光路から待避して被写体光束を焦点面に導く、クイックリターンミラー機構と、前記ハーフミラーの裏面に平行に移動可能な、複数に分割された遮光羽根とで構成され、ハーフミラーが被写体観察位置にあるときは、遮光羽根をハーフミラーの一方の端部に退避させ、ハーフミラーが被写体撮影位置に退避した際は、遮光羽根を展開させるハーフミラー裏面の遮光羽根駆動機構を有する。【選択図】図１
2015034890.tif 000002
【特許請求の範囲】
【請求項１】
撮影レンズ(300)と、
前記撮影レンズの焦点面に設けた撮像素子(201)と、
被写体観察時に、撮影光路内に位置して被写体光束の一部をファインダー光学系に導き、一部を撮像素子に導くハーフミラー(102)と、
被写体撮影時に、前記ハーフミラーを撮影光路から待避して被写体光束を焦点面に導く、クイックリターンミラー機構と、
前記ハーフミラーの裏面に平行に移動可能な、複数に分割された遮光羽根(106,107)と、
で構成され、
前記ハーフミラーが被写体観察位置にあるときは、前記遮光羽根をハーフミラーの一方の端部に退避させて、ハーフミラー中央部を被写体光が透過可能とし、
前記ハーフミラーが被写体撮影位置に退避した際は、前記遮光羽根を展開させ、ハーフミラー裏面の反射防止を行う、  
ハーフミラー裏面の遮光羽根駆動機構を有することを特徴とする撮像装置。
【請求項２】
前記遮光羽根は、前記ハーフミラーの回転軸に対して垂直方向に移動し、
ハーフミラー回転軸方向に退避する、ハーフミラー裏面の遮光羽根駆動機構を有することを特徴とする請求項１に記載の撮像装置。
【請求項３】
前記ハーフミラーが被写体観察位置にあるときに、
前記遮光羽根をハーフミラーの一方の端部に退避させた状態と、
前記遮光羽根を展開させた状態と、に
移動できる駆動源(120)を有する、ハーフミラー裏面の遮光羽根駆動機構を有することを特徴とする請求項１又は請求項２に記載の撮像装置。
【請求項４】
前記撮像素子上で、前記撮影レンズを介して太陽光が入射し、焦点を結ぶ状態を検知した場合、或いはレーザの近赤外光を検知した場合に、
前記遮光羽根を閉じて撮像素子を保護する、ハーフミラー裏面の遮光羽根駆動機構を有することを特徴とする請求項１乃至請求項３の何れか１項に記載の撮像装置。
【請求項５】
撮影者がファインダー光学系を覗いているか検知する手段(206)を有し、
前記撮像素子上で、前記撮影レンズを介して太陽光が入射し、焦点を結ぶ状態を検知した場合、或いはレーザの近赤外光を検知した場合に、
前記クイックリターン機構によりハーフミラーを撮影光路から退避させることを特徴とする、ハーフミラー裏面の遮光羽根駆動機構を有する請求項１乃至請求項４の何れか１項に記載の撮像装置。
【発明の詳細な説明】
【技術分野】
【０００１】
本発明は、クイックリターンミラー機構を備えた撮像装置に関し、特にその内面反射防止構造に関するものである。
【背景技術】
【０００２】
従来、クイックリターンミラー機構を備えた一眼レフ式の撮像装置においては、クイックリターンミラーの中央部をハーフミラーとし、ハーフミラーに反射した光束をファインダー光学系により撮影者が観察し、ハーフミラーを透過した光束を反射させるサブミラーにより測光または測距を行うような構成が用いられていた。
【０００３】
そして、撮影時にはクイックリターン機構によりハーフミラーが撮影光路から退避した際、サブミラーでハーフミラー中央部を覆うことにより内面反射の防止とファインダーからの逆入光を防止することが可能となっていた。
【０００４】
また、サブミラーを用いず、観察時にはハーフミラーを通った光束を撮像素子に入射させて、撮像素子の出力により測光及び測距を行う構成とすれば、従来必要であった測光や測距を行うための専用の素子は不要となる。そして撮影時には、ハーフミラーを跳ね上げて全光束を撮像素子に入射させることにより、ハーフミラーでの光量損失がない撮影を可能とした撮像装置が提案されている。
【０００５】
しかしながら、サブミラーを用いない上述のような構成の撮像装置においては、撮影時の内面反射およびファインダーからの逆入光が問題となる。
【０００６】
ハーフミラーが撮影光路から退避した際、ハーフミラーの裏面には反射防止処理を施すことが困難であるため、撮影光束がその裏面で反射してしまう。そのため、撮像素子に不要な反射光が入射してフレアーが発生するという問題があった。また、撮像素子による測光や測距の演算が正しく行えないという問題も生じる。さらに、ファインダー側からも光が入射すると、退避したハーフミラーを透過してしまうので、同じく撮影画像のフレアーや測光、測距演算に影響してしまうという問題があった。
【０００７】
そこで、例えば、特許文献１では、クイックリターンミラー裏面の一部に複数の透過部を設け、クイックリターンミラーの動作に連動して透過部を開閉する遮光部材を配置する構成が提案されている。
【０００８】
また、特許文献２では平行リンク機構を用いて、クイックリターンミラーが観察位置にあるときには平行運動機構によって反射防止板が撮影光路の外の待避位置に保持され、クイックリターンミラーが撮影位置にあるときには平行運動機構によって反射防止板がクイックリターンミラーの背面に位置される構成とした撮像装置が提案されている。
【先行技術文献】
【特許文献】
【０００９】
【特許文献１】特公昭５９−９０９３７号公報
【特許文献２】特許第３７１３１４９号公報
【発明の概要】
【発明が解決しようとする課題】
【００１０】
しかしながら、上述の特許文献１に開示された従来技術では、クイックリターンミラー透過部は、複数に分割された、異なる大きさの穴部で構成されるため、センサー面での測光や測距の位置が制限され、測光値のばらつきを生じやすく、任意の測距点が選択できないという問題がある。
【００１１】
また、撮像面で被写体の顔や形状を検知して追尾し続けることも困難であり連写中の測距精度が低下するという問題がある。更には、透過光をライブビュー画像に使用することもできないという問題がある。
【００１２】
上述の特許文献２に開示された従来技術では、特許文献１の構成での問題点は解決可能な構成となっているが、クイックリターンミラー裏面を覆う反射防止板の動作領域が大きく、クイックリターンミラー動作に支障を来し、連続撮影速度を高速化できないという問題が生じてしまう。
【００１３】
また、撮影前状態では、ミラーの透過開口部を遮光できる機構は設けられていないので、撮像素子に太陽光等の有害光が入射した際、撮像素子を保護することはできない。
【００１４】
そこで、本発明の目的は、
クイックリターンミラー機構を備え、撮像素子の広い範囲で測光や測距を可能とした撮像装置において、連続撮影速度を低下させることなく、ミラー裏面の内面反射とファインダー逆入光を防止する遮光機構を提供することである。
【００１５】
また、撮影前状態で、撮像素子に太陽光等の有害光が入射した際に、ミラー透過部を遮光し、撮像素子の破損を防止できる撮像装置を提供することである。
【課題を解決するための手段】
【００１６】
上記目的を達成するために、本発明は、
撮影レンズと、
前記撮影レンズの焦点面に設けた撮像素子と、
被写体観察時に、撮影光路内に位置して被写体光束の一部をファインダー光学系に導き、一部を撮像素子に導くハーフミラーと、
被写体撮影時に、前記ハーフミラーを撮影光路から待避して被写体光束を焦点面に導く、クイックリターンミラー機構と、
前記ハーフミラーの裏面に平行に移動可能な、複数に分割された遮光羽根と、
で構成され、
前記ハーフミラーが被写体観察位置にあるときは、前記遮光羽根をハーフミラーの一方の端部に退避させて、ハーフミラー中央部を被写体光が透過可能とし、
前記ハーフミラーが被写体撮影位置に退避した際は、前記遮光羽根を展開させ、ハーフミラー裏面の反射防止を行う、  
ハーフミラー裏面の遮光羽根駆動機構を有することを特徴とする撮像装置である。
【００１７】
また、前記遮光羽根は、前記ハーフミラーの回転軸に対して垂直方向に移動し、
ハーフミラー回転軸方向に退避する、ハーフミラー裏面の遮光羽根駆動機構を有することを特徴とする撮像装置である。
【００１８】
また、前記ハーフミラーが被写体観察位置にあるときに、
前記遮光羽根をハーフミラーの一方の端部に退避させた状態と、
前記遮光羽根を展開させた状態と、に
移動できる駆動源を有する、ハーフミラー裏面の遮光羽根駆動機構を有することを特徴とする撮像装置である。
【００１９】
また、前記撮像素子上で、前記撮影レンズを介して太陽光が入射し、焦点を結ぶ状態を検知した場合、或いはレーザ等の近赤外光を検知した場合に、
前記遮光羽根を閉じて撮像素子を保護する、ハーフミラー裏面の遮光羽根駆動機構を有することを特徴とする撮像装置である。
【００２０】
また、撮影者がファインダー光学系を覗いているか検知する手段を有し、
前記撮像素子上で、前記撮影レンズを介して太陽光が入射し、焦点を結ぶ状態を検知した場合、或いはレーザ等の近赤外光を検知した場合に、
前記クイックリターン機構によりハーフミラーを撮影光路から退避させることを特徴とする、ハーフミラー裏面の遮光羽根駆動機構を有する撮像装置である。
【発明の効果】
【００２１】
本発明によれば、ハーフミラーで構成されるクイックリターンミラー機構を備えた撮像装置において、ミラーの裏面中央部を平行に開閉する遮光羽根を設けたので、
連続撮影速度を低下させることなく、撮像素子で測光や測距を可能とし、撮影時に、ミラー裏面の内面反射とファインダー逆入光を防止できる撮像装置を得ることができる。
【００２２】
また、撮影前状態で、ミラー裏面の開口部を任意に開閉できる機構を設けたので、撮像素子に太陽光等の有害光が入射した際に、撮像素子を破損してしまうことを防止することができる撮像装置を提供できる。
【図面の簡単な説明】
【００２３】
【図１】実施例における、撮像装置の断面模式図
【図２】実施例１における、撮影フローを示すフローチャート
【図３】実施例１における、遮光羽根駆動機構斜視図
【図４】実施例１における、遮光羽根駆動機構詳細図
【図５】実施例１における、遮光羽根駆動機構側面図
【図６】実施例２における、撮影フローを示すフローチャート
【図７】実施例２における、遮光羽根駆動機構斜視図
【図８】実施例２における、遮光羽根駆動機構側面図
【発明を実施するための形態】
【００２４】
以下に、本発明の好ましい実施の形態を、添付の図面に基づいて詳細に説明する。
【００２５】
［実施例１］
図１は、本発明の一実施形態に係る図であり、一眼レフ撮像装置を側面から見たときの断面模式図を示すものである。
【００２６】
図２は、実施例１における撮影フローを示すフローチャートである。以下、図１、図２を用いて、撮影の動作に沿って各主要部材の機能を説明する。カメラ本体２００には、撮影レンズの焦点制御を行うＡＦモータ３０１と、絞り制御を行う絞りモータ３０２が備えられた撮影レンズ３００が装着されている。図１(a)は、撮影前の被写体観察状態を示す。
【００２７】
被写体像は、ハーフミラーを備えたミラーユニット１００によって、反射像はピント板２０３上に結像するとともに、透過像は撮像素子２０１に結像する。ピント板２０３に結像した像は、ペンタプリズム２０４および接眼光学系２０５を通し撮影者の眼球４００に入射する。また、接眼光学系の近傍には、接眼センサー２０６が備えられ、撮影者がファインダーを覗いているかを検知する。
【００２８】
撮影動作がスタートすると、撮像素子２０１により、撮像面での測光演算（ステップＳ１）と測距演算（ステップＳ２）が行われ、カメラ内で露出演算を行うと共にＡＦモータ３０１を制御し、焦点制御（ステップＳ３）を行う。焦点制御が完了するまで、ステップＳ２からステップＳ３を繰り返す（ステップＳ４）。
【００２９】
焦点制御が完了し、レリーズスイッチがＯＮとなると（ステップＳ５）、クイックリターン駆動（ステップＳ６）により、ミラーユニット１００が撮影光路上方に退避するとともに、ステップＳ１で演算された値まで絞り駆動が行われる（ステップＳ７）。また、直ちに撮像素子２０１による電子シャッター露光が行われ（ステップＳ８）、被写体像が撮像素子に入射し、画像記録が行われる（ステップＳ９）。記録された画像は、表示モニター２０２で確認することができる。
【００３０】
図１（ｂ）が、ステップＳ９のカメラ状態を示す。このとき、ミラーユニット１００の裏面側を、後述する遮光羽根で覆うようにし、被写体像の内面反射が撮像素子に入射しないようになっている。また、ファインダー側からの入射光もミラーユニット１００の裏面側に設けた遮光羽根により撮像素子に入射しないようになっている。
【００３１】
その後、クイックリターン駆動によりミラーユニット１００が撮影光路に戻る（ステップＳ１０）とともに、絞りも開放駆動を行い（ステップＳ１１）撮影動作が終了する。尚、クイックリターン駆動の詳細については、一眼レフカメラの機構として公知であるので、ここでは省略する。
【００３２】
図３〜図５を用い、上述したミラーユニット１００の詳細を説明する。図３に、遮光羽根駆動機構の斜視図を示す。図４は、図３の遮光羽根駆動機構を説明するために、カバー板１１０とヒンジ軸プレート１１２を取り除いた状態を示す。図５は、図３に示した遮光羽根駆動機構の側面図を示す。
【００３３】
図３に示すように、ハーフミラー１０２のミラー保持枠１０１は、ヒンジ軸１０３，１０４を中心軸とし、クイックリターン駆動によりドライブ軸１０５を駆動されることで回動する。ミラー保持枠１０１の撮影レンズ側にハーフミラー１０２、撮像面側にカバー板１１０が設けられる。カバー板１１０の中央部には、ハーフミラーの透過開口を規定する形状の開口部が設けられ、ミラー保持枠１０１と、カバー板１１０の間の空間を移動可能に、反射防止処理された遮光羽根を備えている。
【００３４】
図３（ａ）、図４（ａ）、図５（ａ）は、ミラーユニットが撮影光路内に配置された状態を示し、カバー板１１０の中央開口部は開放されており、被写体像は透過可能となっている。
【００３５】
図３（ｂ）、図４（ｂ）、図５（ｂ）は、クイックリターン駆動によるミラー動作途中を示し、カバー板１１０の中央開口部の一部が遮光羽根で閉鎖されている状態となっている。
【００３６】
図３（ｃ）、図４（ｃ）、図５（ｃ）は、ミラーユニットが撮影光路から退避した状態を示し、カバー板１１０の中央開口部は遮光羽根により閉鎖されており、被写体像がハーフミラー１０２の裏面で反射することを防止するとともに、ファインダーからの入射光も防止している。
【００３７】
図３、図４を用いて遮光羽根の構成について説明する。遮光羽根は、ミラー保持枠１０１に設けられた２つのアーム回転軸１０８ａ、１０９aを回転中心とするアームＡ（１０８）、アームＢ（１０９）と、それぞれに回転可能にかしめられた遮光羽根Ａ（１０６）、遮光羽根Ｂ（１０７）により構成され、平行リンク機構を成している。これら２つのアーム部材と複数の羽根部材による平行リンク機構による羽根の展開・退避動作については、フォーカルプレンシャッターの羽根構造として公知であるので動作の詳細はここでは省略する。これら遮光羽根は、ミラー保持枠１０１と、カバー板１１０の間の空間を走行する。
【００３８】
また、遮光羽根の移動方向は、ミラー保持枠のヒンジ軸に対して垂直な方向であり、且つ回転軸方向に収納退避されるようにしている。これは、図１の構成でも示しているが、羽根部材によるシャッター露光動作が不要とした撮像素子を用いることで、クイックリターン駆動の回転中心が光軸方向で、撮像素子と略同一平面内に配置できるようになっている。このことにより、本発明による遮光羽根がミラーヒンジ軸側に退避するスペースを要しても、カメラ全体を光軸方向に厚くすることを防いでいる。
【００３９】
また、ミラー先端側に羽根を退避させる構造とすると、ハーフミラーの透過開口部が大きく出来ず、AF領域が狭くなるなど不都合が生じるため、遮光羽根がミラーヒンジ軸側に退避したほうが有効である。また、クイックリターン駆動のミラーダウン動作に連動し、慣性モーメントを減ずる方向となり、ミラーダウン動作を高速化する効果もある。
【００４０】
次に、遮光羽根とクイックリターン駆動の連動動作について説明する。図４を用いて、遮光羽根を展開、退避させる駆動部の詳細を示す。
【００４１】
遮光羽根駆動レバー１１１は、ヒンジ軸１０４とミラー保持枠を連結する保持板上に、軸１１１ａを中心としてヒンジ軸と平行に、遮光羽根の走行面に対して垂直な平面を回転可能に配置される。そして、アームＡ１０８に設けた連結部１０８ｂの両端部と係合するように、二股形状を有している。
【００４２】
また、遮光羽根駆動レバー１１１とミラー保持枠１０１の間に、引張りバネ１１３を掛けている。この引張りバネ１１３により、遮光羽根駆動レバー１１１とアームＡ１０８の連結部１０８ｂのガタ寄せを行うとともに、遮光羽根駆動レバー１１１に駆動力が掛からない状態では、遮光羽根が退避状態を保持するようにしている。
【００４３】
遮光羽根が退避した図４（ａ）の状態から、遮光羽根駆動レバー１１１が右回転すると、係合した連結部１０８ｂがアームＡの回転中心軸１０８ａに対して左回転する。そうすると、退避していた遮光羽根が展開していき（図４（ｂ））、所定の回転角で遮光羽根駆動レバー１１１の右回転が停止すると、遮光羽根が展開し終わり、図４（ｃ）の状態となる。
【００４４】
図５に、クイックリターン駆動に連動して遮光羽根駆動レバー１１１が回転する動作を示す。ミラーが撮影前の被写体観察状態のダウン状態の時には（図５(a)）、遮光羽根駆動レバー１１１のピン１１１ｂが、ヒンジ軸プレート１１２のカム溝部１１２aの下端側に嵌合している。撮影動作に伴ってミラーが撮影光路から退避していくと（図５（ｂ））、遮光羽根駆動レバー１１１が、カム溝部１１２aによりピン１１１ｂの移動を規制されることで右回転し、遮光羽根を展開させていく。
【００４５】
ミラーが撮影光路から退避すると（図５（ｃ））、遮光羽根は、ミラー中央部のハーフミラー開口部を遮光する。尚、ミラー退避動作時には、遮光羽根駆動レバー１１１を右回転させる際に図４に示した引張りバネ１１３に抗する力が必要となるが、ミラー退避動作力のほうが大きいため、ミラー退避動作時間への影響は軽微である。
【００４６】
以上、ミラーがダウン状態である撮影開始前の観察状態から、ミラーアップとなる撮影状態までの動作を説明したが、ミラーが再び撮影光路内に進入する動作は、上述した動作の逆を辿ることとなる。
【００４７】
上述の構成を用いたことで、被写体観察時にハーフミラー開口部全面を開口し、撮像面で被写体の顔や形状を検知して追尾し続けることが可能となり、更には、透過光をライブビュー画像に使用することも可能となる。また、ミラー裏面の内面反射とファインダー逆入光を防止する遮光羽根の動作が、連続撮影速度を低下させることがない撮像装置を得ることができる。
【００４８】
［実施例２］
以下、図６〜図８を参照して、本発明の第２の実施例について説明する。尚、実施例１と異なる部分のみを説明し、特に記述しない内容については実施例１と同様の構成である。
【００４９】
図６は、実施例２における撮影フローを示すフローチャートである。撮影動作がスタートすると、撮像素子２０１により、撮像面での測光演算（ステップＳ１）が行われる。
その際、撮像素子の赤成分を測定し、数画素領域で飽和しているかなど、強い赤外光がスポット的に入射しているか否かを判断する（ステップS101）。
【００５０】
許容範囲外と判断されると、ステップＳ１０４に移動する。許容範囲内であれば、測距演算（ステップＳ２）が行われ、カメラ内で露出演算を行うと共にＡＦモータ３０１を制御し、焦点制御（ステップＳ３）を行う。焦点制御が完了するまで、ステップＳ２からステップＳ３を繰り返す（ステップＳ４）。焦点制御が完了した後、撮像面内の露出オーバーしている画素領域がないか判定を行い（ステップ１０２）、無ければレリーズスイッチ待ちとなる。
【００５１】
レリーズスイッチがＯＮとなると（ステップＳ５）、クイックリターン駆動（ステップＳ６）により、ミラーユニット１００が撮影光路上方に退避するとともに、ステップＳ１で演算された値まで絞り駆動が行われる（ステップＳ７）。また、直ちに撮像素子２０１による電子シャッター露光が行われ（ステップＳ８）、被写体像が撮像素子に入射し、画像記録が行われる（ステップＳ９）。
【００５２】
このとき、ミラーユニット１００の裏面側を、実施例１で述べたように、遮光羽根で覆うようにし、被写体像の内面反射が撮像素子に入射しないようになっている。また、ファインダー側からの入射光もミラーユニット１００の裏面側に設けた遮光羽根により撮像素子に入射しないようになっている。その後、クイックリターン駆動によりミラーユニット１００が撮影光路に戻る（ステップＳ１０）とともに、絞りも開放駆動を行い（ステップＳ１１）撮影動作が終了する。
【００５３】
ステップＳ１０２で露出オーバー画素領域がある場合は、撮影レンズの焦点距離が無限大に設定されているか否かを判定する（ステップＳ１０３）。これは、太陽光の強い光を入射させ合焦状態になっていないかを判定するものである。ステップＳ１０３で撮影レンズの焦点距離が無限大に設定されている場合は、ステップＳ１０４に進む。焦点距離が無限大ではない場合は、太陽光ではないと判断し、ステップＳ５に戻りレリーズスイッチ待ちとなる。
【００５４】
ステップＳ１０４以降の動作について説明する。ステップＳ１０４は、ステップＳ１０１で、近赤外光がスポット的に入射していると判断された場合と、ステップＳ１０３で、太陽光が入射し、合焦されている場合の判断となる。いずれも撮像素子や、ファインダーで覗いている眼球に影響を与える可能性がある入射光である。
【００５５】
まず、ステップＳ１０４では、撮影者がファインダーを覗いているかを判定し、覗いている場合はクイックリターンミラーを光路から退避させ、撮影者の目を保護する（ステップS105）。そして有害な光線が入射したためにミラーを退避させた旨の警告表示を行う（ステップS106）。
【００５６】
ステップＳ１０４で、撮影者がファインダーを覗いていない場合は、ミラーダウン状態のまま、遮光羽根を展開駆動させ、ハーフミラーからの透過光が撮像素子に届くのを防ぐ（ステップS107）。そして有害な光線が入射したために撮像面への光路を塞いだ旨の警告表示を行う（ステップS108）。
【００５７】
図７、図８を用いて、上述したステップS107の、遮光羽根駆動の詳細を説明する。図７は、羽根駆動機構の斜視図であり、ミラーダウン状態を示す。図８は、図７の状態を側面から示した図である。
【００５８】
図7(a)、図８(a)は、撮影前の被写体観察状態を示し、カバー板１１０の開口部は、ハーフミラー１０２によって透過状態となっている。ヒンジ軸プレート１１２のカム溝部１１２aには、遮光羽根を駆動する遮光羽根駆動レバー１１１のピン部１１１ｂが嵌合している。また、電磁駆動モータである遮光羽根駆動モータ１２０が設けられ、通電によりモータレバー１２１が回転する。ここで、有害な光線が入射し、撮像面を保護する必要があると判断されると、電磁駆動モータである遮光羽根駆動モータ１２０に通電を行い、モータレバー１２１を右回転させる。モータレバー１２１の先端部が、遮光羽根駆動レバー１１１のピン部を押して右回転することで、遮光羽根が閉鎖していく。
【００５９】
ヒンジ軸プレート１１２には、遮光羽根駆動モータ１２０を回転中心とするカム溝部１１２aと連続した溝部１１２ｂも設けられ、ミラーダウン状態のまま、遮光羽根駆動レバー１１１が右回転可能となっている。遮光羽根駆動レバー１１１が右回転終了した状態が、図７（ｂ）、図８（ｂ）となる。ミラーダウン状態のまま、遮光羽根が展開され、ハーフミラーの透過光束が閉鎖されるので、撮像素子へ有害光線が入射することを防止でき、撮像素子が破損することを防止できる。
【００６０】
警告を認知した後、撮影者がカメラ状態を再セットした際には、遮光羽根駆動モータ１２０に逆通電を行い、モータレバー１２１を左回転させる。遮光羽根駆動レバー１１１は、遮光羽根が退避するバネ力により左回転し、図7(a)、図８(a)の状態に戻る。
【００６１】
上述のように、実施例1の構成に対して、被写体観察状態でハーフミラー裏面に設けた遮光羽根を駆動することができるようにするとともに、ミラー動作を適切に制御することで、撮影者の目や、撮像素子を保護するための動作を行う撮像装置が提供できる。
【００６２】
以上、本発明の好ましい実施形態について説明したが、本発明はこれらの実施形態に限定されず、その要旨の範囲内で種々の変形及び変更が可能である。
【００６３】
例えば、撮像素子の撮像領域と、ハーフミラーの中央部透過開口領域の大きさについては、適宜設定できるものとする。ここでは、透過開口領域を、撮像範囲より小さくし、撮影前の被写体観察状態ではファインダーでは被写体の全領域を観察し、撮像面でのAF/AE制御は中央部の領域で行えるようにした撮像装置としたが、透過開口領域が、撮像範囲全部を占めるようにしてもよい。
【００６４】
また、撮影者の眼球や撮像素子への有害光を、撮像素子で検知できる太陽光と近赤外光の場合について述べたが、これに限定されるものではなく、撮像素子だけでなく撮像装置として検知できるものであれば本発明に含まれる。
【符号の説明】
【００６５】
100  ミラーユニット
101  ミラー保持枠
102  ハーフミラー
103  ヒンジ軸
104  ヒンジ軸
105  ドライブ軸
106  遮光羽根Ａ
107  遮光羽根Ｂ
108  アームＡ
109  アームＢ
110  カバー板
111  遮光羽根駆動レバー
112  ヒンジ軸プレート
113  引張りバネ
120  遮光羽根駆動モータ
121  モータレバー
200  カメラ本体
201  撮像素子
202  表示モニター
203  ピント板
204  ペンタプリズム
205  接眼光学系
206  接眼センサー
300  撮影レンズ
301  ＡＦモータ
302  絞りモータ
400  眼球
【図１】
2015034890.tif 000003
【図２】
2015034890.tif 000004
【図３】
2015034890.tif 000005
【図４】
2015034890.tif 000006
【図５】
2015034890.tif 000007
【図６】
2015034890.tif 000008
【図７】
2015034890.tif 000009
【図８】
2015034890.tif 000010